【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
１台のカラオケ演奏装置と、これと無線通信手段により通信する１台以上の利用者端末を備え、サーバー上の付加価値データベースにアクセス可能なカラオケシステムであって、
付加価値データベースは、楽曲ＩＤと付加価値情報源を対応付けて複数格納し、
付加価値情報源は、サイト説明記述とＵＲＬの対応付け情報を少なくとも１つ含み、
カラオケ演奏装置は、記憶手段と、中央制御手段を備え、リクエスト曲の楽曲ＩＤを待ち行列に登録して順番に楽曲を演奏し、
記憶手段は、楽曲索引データベースと、選曲履歴簿を格納し、
楽曲索引データベースは、各楽曲の索引情報を楽曲ＩＤに対応づけて集約し、
選曲履歴簿は、楽曲ＩＤの順列を時系列に記憶し、
中央制御手段は、利用者端末から演奏予約電文を受信した際に第１処理を、利用者端末から履歴要求電文を受信した際に第２処理を行ない、
第１処理は、演奏予約電文中の楽曲ＩＤを待ち行列に登録するとともに選曲履歴簿に記録し、
第２処理は、選曲履歴簿における最新の複数楽曲分の楽曲ＩＤ順列を含む履歴電文を利用者端末に送信し、
利用者端末は、インターネット通信手段と、ユーザインタフェースと、端末制御手段を備え、
インターネット通信手段は、インターネットに接続可能とし、
ユーザインタフェースは、端末制御手段の制御により情報画面を表示するとともに利用者入力を受け付け、
端末制御手段は、利用者入力に従ってカラオケ演奏装置の楽曲索引データベースにアクセスして利用者が選択した楽曲の楽曲ＩＤを含む演奏予約電文をカラオケ演奏装置に送信するとともに、履歴要求の利用者入力があった際に第３〜第６処理を行ない、
第３処理は、履歴要求電文をカラオケ演奏装置に送信し、履歴電文をカラオケ演奏装置から受信し、
第４処理は、カラオケ演奏装置の楽曲索引データベースにアクセスし、受信した履歴電文中の各楽曲ＩＤに対応する曲名とアーティスト名を一覧表示させ、かつ、いずれかの楽曲を選択する利用者入力を受け付け、
第５処理は、第４処理にて1曲を選択する利用者入力があった際、付加価値データベースにアクセスして当該楽曲の付加価値情報源を抽出し、その中のサイト説明記述を列挙表示させるとともに、１つのサイト説明記述の選択入力を受け付け可能とし、
第６処理は、第５処理にてサイト説明記述の選択入力があった際、当該サイト説明記述に該当するＵＲＬを抽出し、インターネットに接続して当該ＵＲＬにリクエストを送信する
カラオケシステム。
【請求項２】
１台のカラオケ演奏装置と、これと無線通信手段により通信する１台以上の利用者端末を備え、サーバー上の付加価値データベースにアクセス可能なカラオケシステムであって、
付加価値データベースは、楽曲ＩＤと付加価値情報源を対応付けて複数格納し、
付加価値情報源は、サイト説明記述とＵＲＬの対応付け情報を少なくとも１つ含み、
カラオケ演奏装置は、第１記憶手段と、中央制御手段を備え、リクエスト曲の楽曲ＩＤを待ち行列に登録して順番に楽曲を演奏し、
第１記憶手段は、楽曲ＩＤの順列を時系列に記憶した選曲履歴簿を格納し、
中央制御手段は、利用者端末から演奏予約電文を受信した際に第１処理を、利用者端末から履歴要求電文を受信した際に第２処理を行ない、
第１処理は、演奏予約電文中の楽曲ＩＤを待ち行列に登録するとともに選曲履歴簿に記録し、
第２処理は、選曲履歴簿における最新の複数楽曲分の楽曲ＩＤ順列を含む履歴電文を利用者端末に送信し、
利用者端末は、第２記憶手段と、インターネット通信手段と、ユーザインタフェースと、端末制御手段を備え、
第２記憶手段は、各楽曲の索引情報を楽曲ＩＤに対応づけて集約した楽曲索引データベースを格納し、
インターネット通信手段は、インターネットに接続可能とし、
ユーザインタフェースは、端末制御手段の制御により情報画面を表示するとともに利用者入力を受け付け、
端末制御手段は、利用者入力に従って楽曲索引データベースにアクセスして利用者が選択した楽曲の楽曲ＩＤを含む演奏予約電文をカラオケ演奏装置に送信するとともに、履歴要求の利用者入力があった際に第３〜第６処理を行ない、
第３処理は、履歴要求電文をカラオケ演奏装置に送信し、履歴電文をカラオケ演奏装置から受信し、
第４処理は、楽曲索引データベースにアクセスし、受信した履歴電文中の各楽曲ＩＤに対応する曲名とアーティスト名を一覧表示させ、かつ、いずれかの楽曲を選択する利用者入力を受け付け、
第５処理は、第４処理にて１曲を選択する利用者入力があった際、付加価値データベースにアクセスして当該楽曲の付加価値情報源を抽出し、その中のサイト説明記述を列挙表示させるとともに、１つのサイト説明記述の選択入力を受け付け可能とし、
第６処理は、第５処理にてサイト説明記述の選択入力があった際、当該サイト説明記述に該当するＵＲＬを抽出し、インターネットに接続して当該ＵＲＬにリクエストを送信する
カラオケシステム。
【請求項３】
選曲履歴簿は、楽曲ＩＤに、未演奏曲／既演奏曲の区別情報を付加し、
中央制御手段は、楽曲の演奏に伴って選曲履歴簿における演奏した楽曲の楽曲ＩＤに前記区別情報を付加するとともに、第２処理にて選曲履歴簿における最新の複数楽曲分の前記区別情報付き楽曲ＩＤ順列を含む履歴電文を利用者端末に送信し、
端末制御手段は、第４処理にて一覧表示する曲名・アーティスト名について、未演奏曲と既演奏曲を視覚的に区別できるように表示させる
請求項１または２に記載のカラオケシステム。
【手続補正２】
【補正対象書類名】明細書
【補正対象項目名】０００７
【補正方法】変更
【補正の内容】
【０００７】
本発明は、次の事項（１）〜（18）によって特定されるものである。
（１）１台のカラオケ演奏装置と、これと無線通信手段により通信する１台以上の利用者端末を備え、サーバー上の付加価値データベースにアクセス可能なカラオケシステムであること
（２）付加価値データベースは、楽曲ＩＤと付加価値情報源を対応付けて複数格納すること
（３）付加価値情報源は、サイト説明記述とＵＲＬの対応付け情報を少なくとも１つ含むこと
（４）カラオケ演奏装置は、記憶手段と、中央制御手段を備え、リクエスト曲の楽曲ＩＤを待ち行列に登録して順番に楽曲を演奏すること
（５）記憶手段は、楽曲索引データベースと、選曲履歴簿を格納すること
（６）楽曲索引データベースは、各楽曲の索引情報を楽曲ＩＤに対応づけて集約すること
（７）選曲履歴簿は、楽曲ＩＤの順列を時系列に記憶すること
（８）中央制御手段は、利用者端末から演奏予約電文を受信した際に第１処理を、利用者端末から履歴要求電文を受信した際に第２処理を行なうこと
（９）第１処理は、演奏予約電文中の楽曲ＩＤを待ち行列に登録するとともに選曲履歴簿に記録すること
（10）第２処理は、選曲履歴簿における最新の複数楽曲分の楽曲ＩＤ順列を含む履歴電文を利用者端末に送信すること
（11）利用者端末は、インターネット通信手段と、ユーザインタフェースと、端末制御手段を備えること
（12）インターネット通信手段は、インターネットに接続可能とすること
（13）ユーザインタフェースは、端末制御手段の制御により情報画面を表示するとともに利用者入力を受け付けること
（14）端末制御手段は、利用者入力に従ってカラオケ演奏装置の楽曲索引データベースにアクセスして利用者が選択した楽曲の楽曲ＩＤを含む演奏予約電文をカラオケ演奏装置に送信するとともに、履歴要求の利用者入力があった際に第３〜第６処理を行なうこと
（15）第３処理は、履歴要求電文をカラオケ演奏装置に送信し、履歴電文をカラオケ演奏装置から受信すること
（16）第４処理は、カラオケ演奏装置の楽曲索引データベースにアクセスし、受信した履歴電文中の各楽曲ＩＤに対応する曲名とアーティスト名を一覧表示させ、かつ、いずれかの楽曲を選択する利用者入力を受け付けること
（17）第５処理は、第４処理にて1曲を選択する利用者入力があった際、付加価値データベースにアクセスして当該楽曲の付加価値情報源を抽出し、その中のサイト説明記述を列挙表示させるとともに、１つのサイト説明記述の選択入力を受け付け可能とすること
（18）第６処理は、第５処理にてサイト説明記述の選択入力があった際、当該サイト説明記述に該当するＵＲＬを抽出し、インターネットに接続して当該ＵＲＬにリクエストを送信すること
【手続補正３】
【補正対象書類名】明細書
【補正対象項目名】０００８
【補正方法】変更
【補正の内容】
【０００８】
またこの発明は、次の事項（21）〜（37）により特定されるものである。  
（21）１台のカラオケ演奏装置と、これと無線通信手段により通信する１台以上の利用者端末を備え、サーバー上の付加価値データベースにアクセス可能なカラオケシステムであること
（22）付加価値データベースは、楽曲ＩＤと付加価値情報源を対応付けて複数格納すること
（23）付加価値情報源は、サイト説明記述とＵＲＬの対応付け情報を少なくとも１つ含むこと
（24）カラオケ演奏装置は、第１記憶手段と、中央制御手段を備え、リクエスト曲の楽曲ＩＤを待ち行列に登録して順番に楽曲を演奏すること
（25）第１記憶手段は、楽曲ＩＤの順列を時系列に記憶した選曲履歴簿を格納すること
（26）中央制御手段は、利用者端末から演奏予約電文を受信した際に第１処理を、利用者端末から履歴要求電文を受信した際に第２処理を行なうこと
（27）第１処理は、演奏予約電文中の楽曲ＩＤを待ち行列に登録するとともに選曲履歴簿に記録すること
（28）第２処理は、選曲履歴簿における最新の複数楽曲分の楽曲ＩＤ順列を含む履歴電文を利用者端末に送信すること
（29）利用者端末は、第２記憶手段と、インターネット通信手段と、ユーザインタフェースと、端末制御手段を備えること
（30）第２記憶手段は、各楽曲の索引情報を楽曲ＩＤに対応づけて集約した楽曲索引データベースを格納すること
（31）インターネット通信手段は、インターネットに接続可能とすること
（32）ユーザインタフェースは、端末制御手段の制御により情報画面を表示するとともに利用者入力を受け付けること
（33）端末制御手段は、利用者入力に従って楽曲索引データベースにアクセスして利用者が選択した楽曲の楽曲ＩＤを含む演奏予約電文をカラオケ演奏装置に送信するとともに、履歴要求の利用者入力があった際に第３〜第６処理を行なうこと
（34）第３処理は、履歴要求電文をカラオケ演奏装置に送信し、履歴電文をカラオケ演奏装置から受信すること
（35）第４処理は、楽曲索引データベースにアクセスし、受信した履歴電文中の各楽曲ＩＤに対応する曲名とアーティスト名を一覧表示させ、かつ、いずれかの楽曲を選択する利用者入力を受け付けること
（36）第５処理は、第４処理にて１曲を選択する利用者入力があった際、付加価値データベースにアクセスして当該楽曲の付加価値情報源を抽出し、その中のサイト説明記述を列挙表示させるとともに、１つのサイト説明記述の選択入力を受け付け可能とすること
（37）第６処理は、第５処理にてサイト説明記述の選択入力があった際、当該サイト説明記述に該当するＵＲＬを抽出し、インターネットに接続して当該ＵＲＬにリクエストを送信すること